(57)【要約】【課題】現場でのコンクリート打設を不必要にすることが可能なＰＣ柱梁の接合構造等を提供する。【解決手段】梁主筋１ａを挿通させるための水平方向の貫通孔３ｂが形成された直方体状のＰＣ仕口パネル部３を有し、該ＰＣ仕口パネル部３が下階のＰＣ柱４上に位置するように配置される第１ＰＣ部材３と、ＰＣ梁部を有し、前記ＰＣ仕口パネル部３の両側方に配置される第２及び第３ＰＣ部材１１、１３と、により構成される柱梁の接合構造である。前記第２ＰＣ部材１３のＰＣ梁部の端部からは梁主筋１ａが突出しているとともに、前記第３ＰＣ部材１１のＰＣ梁部の端部には梁主筋連結用の継手１２が埋入されており、前記第２ＰＣ部材１３から突出する前記梁主筋１ａは、前記貫通孔３ｂの一端から挿入され、その先端が、該貫通孔３ｂの他端から突出して前記第３ＰＣ部材１１の前記継手１２に定着されている。【選択図】    図８
2006022494.tif 000002
【特許請求の範囲】
【請求項１】
梁主筋を挿通させるための水平方向の貫通孔が形成された直方体状のＰＣ（プレキャストコンクリート）仕口パネル部を有し、該ＰＣ仕口パネル部が下階のＰＣ柱上に位置するように配置される第１ＰＣ部材と、
ＰＣ梁部を有し、前記ＰＣ仕口パネル部の両側方に配置される第２及び第３ＰＣ部材と、により構成され、
前記第２ＰＣ部材のＰＣ梁部の端部からは梁主筋が突出しているとともに、前記第３ＰＣ部材のＰＣ梁部の端部には梁主筋連結用の継手が埋入されており、
前記第２ＰＣ部材から突出する前記梁主筋は、前記貫通孔の一端から挿入され、その先端が、該貫通孔の他端から突出して前記第３ＰＣ部材の前記継手に定着されていることを特徴とするＰＣ柱梁の接合構造。
【請求項２】
梁主筋を挿通させるための水平方向の貫通孔が形成された直方体状のＰＣ仕口パネル部を有し、該ＰＣ仕口パネル部が下階のＰＣ柱上に位置するように配置される第１ＰＣ部材と、
ＰＣ梁部を有し、前記ＰＣ仕口パネル部の両側方に配置される第２及び第３ＰＣ部材と、により構成され、
前記第２及び第３ＰＣ部材のＰＣ梁部の端部には梁主筋連結用の継手が埋入されており、
前記第２及び第３ＰＣ部材を接続するための中継筋が、その両端が前記貫通孔から突出するように前記貫通孔に挿入され、該貫通孔から突出する前記中継筋の両端がそれぞれ前記第２ＰＣ部材および第３ＰＣ部材の前記継手に定着されていることを特徴とするＰＣ柱梁の接合構造。
【請求項３】
梁主筋を挿通させるための水平方向の貫通孔が形成された直方体状のＰＣ仕口パネル部を有し、該ＰＣ仕口パネル部が下階のＰＣ柱上に位置するように配置される第１ＰＣ部材と、
ＰＣ梁部を有し、前記ＰＣ仕口パネル部の側方に配置される第２ＰＣ部材と、により構成され、
前記第２ＰＣ部材のＰＣ梁部の端部には梁主筋連結用の継手が埋入されており、
前記第１ＰＣ部材と前記第２ＰＣ部材とを接続するための中継筋が、前記貫通孔の一端から挿入されているとともに、該貫通孔の他端から突出する先端が前記第２ＰＣ部材の前記継手に定着され、もう一方の先端は前記第１ＰＣ部材に定着されていることを特徴とするＰＣ柱梁の接合構造。
【請求項４】
前記ＰＣ仕口パネル部は、前記ＰＣ梁部の方へ延出する延出部を有していることを特徴とする請求項１〜３のうちの何れか１項記載のＰＣ柱梁の接合構造。
【請求項５】
前記下階のＰＣ柱は、少なくとも上端部に柱主筋連結用の継手が埋入され、前記ＰＣ仕口パネル部には鉛直方向の貫通孔が形成されており、
上階のＰＣ柱の柱主筋またはこの柱主筋に連結されるべき中継筋が、前記貫通孔に上方から挿入されて前記ＰＣ仕口パネル部を貫通し、前記下階のＰＣ柱の前記継手に定着されていることを特徴とする請求項１〜４のうちの何れか１項記載のＰＣ柱梁の接合構造。
【請求項６】
前記継手は、外周に凸部が設けられた鞘管により構成され、当該鞘管の内側に梁主筋の先端が挿入されてグラウトにより定着されていることを特徴とする請求項１〜５のうち何れか１項記載のＰＣ柱梁の接合構造。
【請求項７】
請求項１〜６のうちの何れか１項記載のＰＣ柱梁の接合構造を含んだ柱梁架構構造。
【請求項８】
梁主筋を挿通させるための水平方向の貫通孔が形成された直方体状のＰＣ仕口パネル部を有する第１ＰＣ部材と、
端部から梁主筋が突出しているＰＣ梁部を有する第２ＰＣ部材と、
端部に梁主筋連結用の継手が埋入されているＰＣ梁部を有する第３ＰＣ部材と、を用いたＰＣ柱梁の接合方法であって、
第１ＰＣ部材及び第３ＰＣ部材を適宜移動して、下階のＰＣ柱上に前記ＰＣ仕口パネル部が位置しつつ、該ＰＣ仕口パネル部の側方に第３ＰＣ部材のＰＣ梁部を位置している状態にするステップと、
前記第２ＰＣ部材を前記ＰＣ仕口パネル部へ向けて略水平移動することによって、該第２ＰＣ部材から突出する梁主筋を前記貫通孔の一端から挿入しつつ、該貫通孔の他端から突出した先端を前記第３ＰＣ部材の前記継手に定着するステップと、
備えていることを特徴とするＰＣ柱梁の接合方法。
【請求項９】
梁主筋を挿通させるための水平方向の貫通孔が形成された直方体状のＰＣ仕口パネル部を有する第１ＰＣ部材と、
端部に梁主筋連結用の継手が埋入されているＰＣ梁部を有する第２及び第３ＰＣ部材と、を用いたＰＣ柱梁の接合方法であって、
前記第１ＰＣ部材及び第３ＰＣ部材を適宜移動して、下階のＰＣ柱上に前記ＰＣ仕口パネル部が位置しつつ、該ＰＣ仕口パネル部の側方に第３ＰＣ部材のＰＣ梁部が位置している状態にするステップと、
前記第２及び第３ＰＣ部材を接続するための中継筋を、前記貫通孔の一端から挿入することによって、前記貫通孔の他端から突出する前記中継筋の先端を前記第３ＰＣ部材の前記継手に定着するステップと、
前記第２ＰＣ部材を前記ＰＣ仕口パネル部へ向けて略水平移動することによって、前記一端から突出する前記中継筋の先端に、該第２ＰＣ部材の前記継手を定着するステップと、
を備えていることを特徴とするＰＣ柱梁の接合方法。
【請求項１０】
梁主筋を挿通させるための水平方向の貫通孔が形成された直方体状のＰＣ仕口パネル部を有する第１ＰＣ部材と、
端部に梁主筋連結用の継手が埋入されているＰＣ梁部を有する第２ＰＣ部材と、を用いたＰＣ柱梁の接合方法であって、
前記第１ＰＣ部材及び第２ＰＣ部材を適宜移動して、下階のＰＣ柱上に前記ＰＣ仕口パネル部が位置しつつ、該ＰＣ仕口パネル部の側方に第２ＰＣ部材のＰＣ梁部が位置している状態にするステップと、
前記第１ＰＣ部材と前記第２ＰＣ部材とを接続するための中継筋を、前記貫通孔の一端から挿入することによって、該貫通孔の他端から突出する先端を前記第２ＰＣ部材の前記継手に定着するとともに、もう一方の先端を前記第１ＰＣ部材に定着するステップと、
を備えていることを特徴とするＰＣ柱梁の接合方法。
【請求項１１】
少なくとも一端部に継手が埋入されていることを特徴とするプレキャストコンクリート梁。
【発明の詳細な説明】
【技術分野】
【０００１】
本発明は、プレキャストコンクリート（ＰＣ）柱梁の接合構造、この接合構造を含んだ柱梁架構構造、接合方法、およびプレキャストコンクリート梁に関する。
【背景技術】
【０００２】
従来よりコンクリート柱梁の接合構造として、図１８に示す構成が一般的である。同図に示す従来の柱梁の接合構造では、ＰＣ梁２００の端部から梁主筋２０２（同図の例では下端筋）を突出させる。そして、同じ直線上で隣り合う２本のＰＣ梁２００を、それらの端部が柱コンクリート２０４上で相対向するように設置し、床コンクリートと共に柱梁仕口部にコンクリートを打設することにより各端部から突出する梁主筋２０２を連結する。なお、図１８では、下端筋のみをＰＣ梁２００の端部から突出させ、上端筋はＰＣ梁２００から露出させた構成を示しているが、上下両方の梁端筋をＰＣ梁２００に埋入して端面から突出させる場合もある。また、図１８では下端筋を折り曲げることで現場打設コンクリートとの定着を確保するようにしているが、これに限らず、梁主筋同士を機械式継手で連結してもよい。
【０００３】
また、特許文献１には、柱梁の接合部をＰＣ部材で構成した構造が開示されている。この特許文献１に開示される構造では、図１９に示すようなＰＣ部材３００を介して柱梁を接合する。このＰＣ部材３００は、直方体状の本体３０２と、この本体３０２を鉛直方向および水平方向に貫通する複数の貫通孔３０４ａ，３０４ｂとから構成される。かかるＰＣ部材３００の水平方向の貫通孔３０４ｂに梁筋を挿通させてグラウトを注入することで、ＰＣ部材３００に梁筋を一体化させる。このＰＣ部材３００を柱梁仕口部まで揚重し、柱頭部から突出した柱筋を鉛直方向の貫通孔３０４ａに挿通させてグラウトを注入することで柱梁を接合する。
【特許文献１】特開平２−１０１２３７号公報
【発明の開示】
【発明が解決しようとする課題】
【０００４】
上記のように、図１８に示す従来の構成では、現場にて柱梁仕口部にコンクリートを打設することが必要である。また、特許文献１に開示される構成においても、梁のコンクリートは現場で打設することになる。しかし、現場でコンクリートを打設すると、型枠の設置・解体作業が必要となるなど工程数が増大し、コスト増や工期の長期化を招いてしまう。  
このため、現場でのコンクリート打設の施工箇所を削減可能な柱梁接合構造も開発されており、これについては本願出願人が既に特許出願済みである（特願２００３―７５１２５号）。
【０００５】
ここで、図１及び図２を参照しながら、この特許出願済みの柱梁接合構造１０について説明する。図１は、この接合構造１０を示す斜視図であり、図２は、図１の接合構造１０の鉛直断面図である。なお、説明の便宜上、これらの図に示すように、互いに直交する３方向をそれぞれ、上下方向、左右方向、および前後方向と定義する。
【０００６】
図示のように、この柱梁接合構造１０は、ＰＣ梁１とＰＣ柱４とを、ＰＣ柱４上に配置される仕口パネル３を介して接合するものである。なお、図１および図２では、ＰＣ梁１、ＰＣ柱４、仕口パネル３、および中継筋４ａが分解された状態を示しており、各部材を図中矢印で示す向きに移動し設置することで柱梁接合構造１０が完成する。
【０００７】
ＰＣ梁１は柱梁架構のスパン長に亘る長さを有しており、その両端部が、仕口パネル３を介してＰＣ柱４に接合される。ただし、柱梁架構のスパン長が長い場合には、ＰＣ梁を複数（例えば２〜３個）に分割し、それらを接合してＰＣ梁１として用いてもよい。仕口パネル３は、直方体状に構成されたＰＣ部材であり、鉛直方向に貫通する複数の柱主筋孔３ａと、水平方向に貫通する複数の梁主筋孔３ｂとを含んでいる。
【０００８】
ＰＣ梁１の梁主筋１ａは、梁コンクリートに埋入されてその端部が梁端面から突出している。そして、仕口パネル３の両側に配置されるＰＣ梁１の梁主筋１ａが、仕口パネル３の梁主筋孔３ｂに両側から挿入され、梁主筋孔３ｂ内に埋入された継手によって相互に連結される。なお、梁主筋孔３ｂ内の継手の構造については後述する。
【０００９】
仕口パネル３の柱主筋孔３ａには上方から中継筋４ａが挿入される。中継筋４ａは、下階のＰＣ柱４の柱主筋４ｂと、上階のＰＣ柱４の柱主筋４ｂとを中継するための鉄筋である。ＰＣ柱４の上端部には柱主筋連結用継手４ｃが埋入されており、中継筋４ａの下端がこの柱主筋連結用継手４ｃに定着されることにより下階の柱主筋４ｂに連結される。また、ＰＣ柱４の下端部にも柱主筋連結用継手４ｃが埋入されており、この柱主筋連結用継手４ｃに中継筋４ａの上端が定着される。すなわち、図１および図２において、不図示の上階のＰＣ柱４を施工する場合には、その下端部の柱主筋連結用継手４ｃに中継筋４ａの上端が定着されることになる。このように、当該柱梁接合構造１０では、ＰＣ柱４の上下端部に夫々柱主筋連結用継手４ｃ、４ｃを埋入し、下階のＰＣ柱４の上端側の柱主筋連結用継手４ｃと、上階のＰＣ柱４の下端側の柱主筋連結用継手４ｃとの間に、仕口パネル３を貫通する中継筋４ａを連結する構成としている。
【００１０】
これらのＰＣ部材１、３、４を用いて柱梁接合構造１０を施工する場合には、図１に示すように、先ず柱梁架構の左端部に位置するＰＣ柱４−１上に仕口パネル３−１を設置し、その柱主筋孔３ａへ上方から中継筋４ａを挿入する。次に、前記仕口パネル３−１の右側方にＰＣ梁１−１を配置し、この位置から、当該ＰＣ梁１−１を左方向に水平移動させることによって、前記仕口パネル３−１の梁主筋孔３ｂに、前記ＰＣ梁１−１の左端部から突出する梁主筋１ａを挿入する。そうしたら、前記ＰＣ柱４−１の右隣のＰＣ柱４−２上に設置すべき次の仕口パネル３−２を、前記ＰＣ梁１−１の右側方に配置し、この位置から、この仕口パネル３−２を左方向に水平移動させることによって、その梁主筋孔３ｂに、前記ＰＣ梁１−１の右端部から突出する梁主筋１ａを挿入させつつ当該仕口パネル３−２を前記ＰＣ柱４−２上に設置する。そして、この仕口パネル３−２に対しても、その柱主筋孔３ａに上方から中継筋４ａを挿入して下階のＰＣ柱４−２に連結すると共に、当該仕口パネル３−２の右側方に配置されたＰＣ梁１−１を左方向に水平移動させることによって、その左端部から突出する梁主筋１ａを前記仕口パネル３−２の梁主筋孔３ｂへ挿入しつつ設置する。そして、このような作業を繰り返して柱梁を接合していくことにより柱梁架構を構築する。
【００１１】
なお、ここでは、左右方向について説明したが、このような作業が、前後方向に対しても行われるのは言うまでもなく、これら左右方向及び前後方向への構築を繰り返して、平面的な柱梁架構を構築するようになっている。
【００１２】
ところで、前記構築中の適宜なタイミングで、前記梁主筋孔３ｂ、柱主筋孔３ａ、及び柱主筋孔用継手４ｃ内には、それぞれにグラウトが注入される。そして、これによって、これら梁主筋孔等３ｂ、３ａ、４ｃに、前記梁主筋１ａ又は中継筋４ａがそれぞれ定着されて、ＰＣ柱４及びＰＣ梁１は前記仕口パネル３を介して一体化される。
【００１３】
図３は、仕口パネル３の梁主筋孔３ｂに梁主筋１ａが定着される様子を説明するための仕口パネル３の鉛直断面図である。同図に示すように、梁主筋孔３ｂには鞘管２が設けられており、梁主筋１ａの先端が梁主筋孔３ｂの両側から鞘管２の内部に達するまで挿入される。仕口パネル３には、その外表面と梁主筋孔３ｂとを連通するグラウト注入孔３ｃが設けられており、このグラウト注入孔３ｃからグラウトが注入されることで、梁主筋１ａが鞘管２に定着される。なお、鞘管２の外周面にはほぼ全長に亘って凹凸部を設けるようにして、鞘管２と仕口パネル３のコンクリートとの付着力を高めるようにしてもよいし、また、図３において、鞘管２が仕口パネル３の全幅に亘る長さを有する構成としてもよい。
【００１４】
図４は、仕口パネル３の柱主筋孔３ａ及びＰＣ柱４の柱主筋連結用継手４ｃに、中継筋４ａが定着される様子の説明図であって、仕口パネル３及びＰＣ柱４を鉛直断面視で示している。同図に示すように、ＰＣ柱４の上下端部にそれぞれ埋入された柱主筋連結用継手４ｃは、外周に凹凸部を有する短尺の鞘管である。そして、仕口パネル３の柱主筋孔３ａに挿入された中継筋４ａの下端は、下階のＰＣ柱４の前記鞘管４ｃの内部に達するまで挿入される一方、当該中継筋４ａの上端は、上階のＰＣ柱４の前記鞘管４ｃの内部に挿入される。一方、仕口パネル３には、その外表面と柱主筋孔３ａとを連通するグラウト柱入孔３ｄが設けられており、このグラウト柱入孔３ｄからグラウトが注入されることで、柱主筋孔３ａおよび前記鞘管４ｃの内部にグラウトが注入されて、中継筋４ａは柱主筋孔３ａおよび前記鞘管４ｃに定着される。なお、グラウトの注入の仕方としては、ポンプを用いて前記グラウト柱入孔３ｄにグラウトを圧入する等が挙げられるが、これに限るものではない。
【００１５】
そして、以上説明してきた特許出願済みの柱梁接合構造１０によれば、グラウト注入によって柱梁を接合可能であることから、現場でのコンクリート打設の施工箇所を大幅に削減可能である。但し、現場でのコンクリート打設を不必要にできるものではなく、すなわち、柱梁架構を構成する仕口パネル３とＰＣ梁１との接合の幾つかに対しては、従前の現場コンクリート打設で対処せざるを得ない。
【００１６】
この現場コンクリート打設が必要となる様子を、図５の上面視概略図に示す柱梁架構の簡易モデルを用いて説明する。なお、この簡易モデルは、図５（ａ）に示すように前後方向及び左右方向で規定される水平平面内に等ピッチで格子目状に６カ所のＰＣ柱４−１、４−２、…４−６が設けられ、かつ、図５（ｊ）に示すように、これらＰＣ柱４−１、４−２、…４−６の間に、左右方向及び前後方向にＰＣ梁１−１、１−２、…１−７を渡して柱梁架構を構築する例である。
【００１７】
この柱梁架構を、前述の柱梁接合構造１０を用いて構築する場合には、例えば、始めに、図５（ａ）の左後ろに位置するＰＣ柱４−１上に仕口パネル３−１を配置する。そして、図５（ｂ）〜図５（ｅ）に示すように、この仕口パネル３−１の右方に、ＰＣ梁１−１、仕口パネル３−２、ＰＣ梁１−２、仕口パネル３−３の順番でこれら部材を配置する。なお、ここで、ＰＣ梁１の長手方向は左右方向に揃えている。そして、前記順番で、各部材１−１、３−２、１−２、および３−３を、矢印で示す左方向に水平移動させるが、各水平移動の際に、各梁主筋孔３ｂに対して梁主筋１ａを挿入してＰＣ梁１と仕口パネル３とを接続していき、最終的に図５（ｆ）に示す接続状態にする。なお、この接続状態にあっては、各仕口パネル３は、対応するＰＣ柱４上に位置している。また、以下では説明を省略するが、仕口パネル３には上方から前記中継筋４ａが挿入され下階のＰＣ柱４に連結されているとともに、適宜タイミングで、前記柱主筋孔３ａ、梁主筋孔３ｂ、及び柱主筋連結用継手４ｃ内にグラウトが注入されているのは言うまでもない。
【００１８】
次に、図５（ｇ）に示すように、各ＰＣ柱４上に設置された３つの仕口パネル３−１、３−２、３−３に対して、その前方に、長手方向を前後方向に揃えてＰＣ梁１−３、１−４、１−５を配置する。そして、各ＰＣ梁１−３、１−４、１−５を後方へ水平移動させ、当該水平移動の際に、各梁主筋孔３ｂに梁主筋１ａを挿入して、仕口パネル３−１、３−２、３−３に各ＰＣ梁１−３、１−４、１−５を接続し、図５（ｈ）に示す接続状態にする。
【００１９】
そうしたら、図５（ｉ）示すように、各ＰＣ梁１−３、１−４、１−５の前方に、仕口パネル３−４、３−５、３−６を配置する。そして、各仕口パネル３−４、３−５、３−６を後方へ水平移動させ、当該水平移動の際に、各梁主筋孔３ｂに梁主筋１ａを挿入して、各ＰＣ梁１−３、１−４、１−５に仕口パネル３−４、３−５、３−６を接続し、図５（ｊ）に示す接続状態にする。なお、この接続状態においては、各仕口パネル３−４、３−５、３−６は、対応するＰＣ柱４−４、４−５、４−６上に位置しているのは言うまでもない。
【００２０】
そして、最後に、仕口パネル３−４と仕口パネル３−５との間にＰＣ梁１−６を設置するとともに、仕口パネル３−５と仕口パネル３−６との間に、ＰＣ梁１−７を設置すれば、当該柱梁架構は完成する。
【００２１】
しかし、ここで、仕口パネル３−４と仕口パネル３−５との間に介挿すべきＰＣ梁１−６、並びに、仕口パネル３−５と仕口パネル３−６との間に介設すべきＰＣ梁１−７は、その両端部から梁主筋１ａが突出しているが、当該ＰＣ梁１−６、１−７の水平移動は、左右の何れか一方向に対してしか行えない。このために、ＰＣ梁１−６、１−７は、その左右の両脇にある何れか一方の仕口パネル３の梁主筋孔３ｂに対してしか梁主筋１ａを挿入できず、残るもう一方の仕口パネル３に対しては梁主筋１ａを挿入することができない。
【００２２】
従って、梁主筋孔３ｂに梁主筋１ａを挿入できない方のＰＣ梁１−６、１−７の端部と、これに対応する仕口パネル３との接合については、従前の現場コンクリート打設に頼らざるを得ず、結果として、当該柱梁接合構造１０では、現場コンクリート打設の施工箇所を無くすことはできない。
【００２３】
本発明は上記の点に鑑みてなされたものであり、現場でのコンクリート打設を不必要にすることが可能なＰＣ柱梁の接合構造、この接合構造を含んだ柱梁架構構造、接合方法、およびプレキャストコンクリート梁を提供することを目的とする。
【課題を解決するための手段】
【００２４】
上記の目的を達成するために請求項１に示す発明は、梁主筋を挿通させるための水平方向の貫通孔が形成された直方体状のＰＣ（プレキャストコンクリート）仕口パネル部を有し、該ＰＣ仕口パネル部が下階のＰＣ柱上に位置するように配置される第１ＰＣ部材と、
ＰＣ梁部を有し、前記ＰＣ仕口パネル部の両側方に配置される第２及び第３ＰＣ部材と、により構成され、
前記第２ＰＣ部材のＰＣ梁部の端部からは梁主筋が突出しているとともに、前記第３ＰＣ部材のＰＣ梁部の端部には梁主筋連結用の継手が埋入されており、
前記第２ＰＣ部材から突出する前記梁主筋は、前記貫通孔の一端から挿入され、その先端が、該貫通孔の他端から突出して前記第３ＰＣ部材の前記継手に定着されていることを特徴とする。
【００２５】
請求項２に示す発明は、梁主筋を挿通させるための水平方向の貫通孔が形成された直方体状のＰＣ仕口パネル部を有し、該ＰＣ仕口パネル部が下階のＰＣ柱上に位置するように配置される第１ＰＣ部材と、
ＰＣ梁部を有し、前記ＰＣ仕口パネル部の両側方に配置される第２及び第３ＰＣ部材と、により構成され、
前記第２及び第３ＰＣ部材のＰＣ梁部の端部には梁主筋連結用の継手が埋入されており、
前記第２及び第３ＰＣ部材を接続するための中継筋が、その両端が前記貫通孔から突出するように前記貫通孔に挿入され、該貫通孔から突出する前記中継筋の両端がそれぞれ前記第２ＰＣ部材および第３ＰＣ部材の前記継手に定着されていることを特徴とする。
【００２６】
請求項３に示す発明は、梁主筋を挿通させるための水平方向の貫通孔が形成された直方体状のＰＣ仕口パネル部を有し、該ＰＣ仕口パネル部が下階のＰＣ柱上に位置するように配置される第１ＰＣ部材と、
ＰＣ梁部を有し、前記ＰＣ仕口パネル部の側方に配置される第２ＰＣ部材と、により構成され、
前記第２ＰＣ部材のＰＣ梁部の端部には梁主筋連結用の継手が埋入されており、
前記第１ＰＣ部材と前記第２ＰＣ部材とを接続するための中継筋が、前記貫通孔の一端から挿入されているとともに、該貫通孔の他端から突出する先端が前記第２ＰＣ部材の前記継手に定着され、もう一方の先端は前記第１ＰＣ部材に定着されていることを特徴とする。
【００２７】
請求項４に示す発明は、請求項１〜３のうちの何れか１項記載のＰＣ柱梁の接合構造において、前記ＰＣ仕口パネル部は、前記ＰＣ梁部の方へ延出する延出部を有していることを特徴とする。
【００２８】
請求項５に示す発明は、請求項１〜４のうちの何れか１項記載のＰＣ柱梁の接合構造において、前記下階のＰＣ柱は、少なくとも上端部に柱主筋連結用の継手が埋入され、前記ＰＣ仕口パネル部には鉛直方向の貫通孔が形成されており、
上階のＰＣ柱の柱主筋またはこの柱主筋に連結されるべき中継筋が、前記貫通孔に上方から挿入されて前記ＰＣ仕口パネル部を貫通し、前記下階のＰＣ柱の前記継手に定着されていることを特徴とする。
【００２９】
請求項６に示す発明は、請求項１〜５のうち何れか１項記載のＰＣ柱梁の接合構造において、前記継手は、外周に凸部が設けられた鞘管により構成され、当該鞘管の内側に梁主筋の先端が挿入されてグラウトにより定着されていることを特徴とする。
【００３０】
請求項７に示す発明は、請求項１〜６のうちの何れか１項記載のＰＣ柱梁の接合構造を含んだ柱梁架構構造。
【００３１】
請求項８に示す発明は、梁主筋を挿通させるための水平方向の貫通孔が形成された直方体状のＰＣ仕口パネル部を有する第１ＰＣ部材と、
端部から梁主筋が突出しているＰＣ梁部を有する第２ＰＣ部材と、
端部に梁主筋連結用の継手が埋入されているＰＣ梁部を有する第３ＰＣ部材と、を用いたＰＣ柱梁の接合方法であって、
第１ＰＣ部材及び第３ＰＣ部材を適宜移動して、下階のＰＣ柱上に前記ＰＣ仕口パネル部が位置しつつ、該ＰＣ仕口パネル部の側方に第３ＰＣ部材のＰＣ梁部を位置している状態にするステップと、
前記第２ＰＣ部材を前記ＰＣ仕口パネル部へ向けて略水平移動することによって、該第２ＰＣ部材から突出する梁主筋を前記貫通孔の一端から挿入しつつ、該貫通孔の他端から突出した先端を前記第３ＰＣ部材の前記継手に定着するステップと、
備えていることを特徴とする。
【００３２】
請求項９に示す発明は、梁主筋を挿通させるための水平方向の貫通孔が形成された直方体状のＰＣ仕口パネル部を有する第１ＰＣ部材と、
端部に梁主筋連結用の継手が埋入されているＰＣ梁部を有する第２及び第３ＰＣ部材と、を用いたＰＣ柱梁の接合方法であって、
前記第１ＰＣ部材及び第３ＰＣ部材を適宜移動して、下階のＰＣ柱上に前記ＰＣ仕口パネル部が位置しつつ、該ＰＣ仕口パネル部の側方に第３ＰＣ部材のＰＣ梁部が位置している状態にするステップと、
前記第２及び第３ＰＣ部材を接続するための中継筋を、前記貫通孔の一端から挿入することによって、前記貫通孔の他端から突出する前記中継筋の先端を前記第３ＰＣ部材の前記継手に定着するステップと、
前記第２ＰＣ部材を前記ＰＣ仕口パネル部へ向けて略水平移動することによって、前記一端から突出する前記中継筋の先端に、該第２ＰＣ部材の前記継手を定着するステップと、
を備えていることを特徴とする。
【００３３】
請求項１０に示す発明は、梁主筋を挿通させるための水平方向の貫通孔が形成された直方体状のＰＣ仕口パネル部を有する第１ＰＣ部材と、
端部に梁主筋連結用の継手が埋入されているＰＣ梁部を有する第２ＰＣ部材と、を用いたＰＣ柱梁の接合方法であって、
前記第１ＰＣ部材及び第２ＰＣ部材を適宜移動して、下階のＰＣ柱上に前記ＰＣ仕口パネル部が位置しつつ、該ＰＣ仕口パネル部の側方に第２ＰＣ部材のＰＣ梁部が位置している状態にするステップと、
前記第１ＰＣ部材と前記第２ＰＣ部材とを接続するための中継筋を、前記貫通孔の一端から挿入することによって、該貫通孔の他端から突出する先端を前記第２ＰＣ部材の前記継手に定着するとともに、もう一方の先端を前記第１ＰＣ部材に定着するステップと、
を備えていることを特徴とするＰＣ柱梁の接合方法。
【００３４】
請求項１１に示す発明は、少なくとも一端部に継手が埋入されていることを特徴とするプレキャストコンクリート梁。
【発明の効果】
【００３５】
本発明によれば、現場でのコンクリート打設を不必要にすることが可能なＰＣ柱梁の接合構造、この接合構造を含んだ柱梁架構構造、接合方法、およびプレキャストコンクリート梁を提供することができる。
【発明を実施するための最良の形態】
【００３６】
図６は、本発明の第１実施形態に係る柱梁接合構造の施工手順を説明するための柱梁架構の上面視概略図である。図７は、図６中のVIIａ部およびVIIｂ部を一部上面視で示す仕口パネル３等の水平断面図である。また、図８は、図６中のVIIIａ部およびVIIIｂ部を一部上面視で示す仕口パネル３等の水平断面図であり、図９は、図６中のIXａ部及びIXｂ部を一部上面視で示す仕口パネル３等の水平断面図である。
【００３７】
なお、図６（ａ）に示す構築途中の状態は、前述の図５（ｈ）と同じであり、すなわち、この状態までは、図５にて説明した手順と同手順で構築され、その後は、次のようにして構築される。
【００３８】
先ず、図６（ｂ）に示すように、ＰＣ梁１−３、１−４の前方に、仕口パネル３−４、３−５をそれぞれ配置する。そして、各仕口パネル３−４、３−５を後方へ水平移動させ、当該水平移動の際に、各梁主筋孔３ｂに梁主筋１ａを挿入して、各ＰＣ梁１−３、１−４に仕口パネル３−４、３−５を接続し、図６（ｃ）に示す接続状態にする。ちなみに、ＰＣ柱４−６上に設置すべき仕口パネル３−６については、後で設置する。
【００３９】
次に、図６（ｃ）及び図６（ｄ）に示すように、仕口パネル３−４と仕口パネル３−５との間にＰＣ梁１１を設置するが、ここで、本第１実施形態に係る柱梁接合構造にあっては、予め、図１０の水平断面図に示す２種類のＰＣ梁１１、１３が用意されている。すなわち、両端部に梁主筋連結用継手１２が埋入されたＰＣ梁１１と、一方の端部からは梁主筋１ａが突出しているとともに他方の端部には梁主筋連結用継手が埋入されたＰＣ梁１３とが用意されている。なお、梁主筋連結用継手１２は、外周に凹凸部を有する短尺の鞘管であり、その内側の端部には、ＰＣ梁１１、１３内に埋入された梁主筋１ａの一端が挿入されている。
【００４０】
そして、仕口パネル３−４と仕口パネル３−５との間には、図６（ｃ）及び図６（ｄ）に示すように、前者のＰＣ梁１１が上方から落とし込まれて介挿され、この状態でＰＣ梁１１の左端部が、左側の仕口パネル３−４に接合される。すなわち、図６（ｄ）のVIIａ部を拡大して図７（ａ）に示すように、前記仕口パネル３−４の梁主筋孔３ｂの左端からは、例えば鍔状の定着具５ｂを左端に備えた中継筋５ａが挿入される。そして、図７（ｂ）に示すように、この梁主筋孔３ｂの右端から突出する前記中継筋５ａは、前記ＰＣ梁１１の前記梁主筋連結用継手１２の内部に達するとともに、この時には、前記定着具５ｂは、仕口パネル３−４内に位置している。そして、仕口パネル３−４の外表面と梁主筋孔３ｂとを連通するグラウト注入孔（不図示）からグラウトが注入されることで、前記中継筋５ａは梁主筋孔３ｂおよび前記梁主筋連結用継手１２に定着され、これによって、ＰＣ梁１１の左端部は、左側の仕口パネル３−４に接合される。
【００４１】
一方、図６（ｅ）および図６（ｆ）に示すように、前記ＰＣ梁１１の右端部は、仕口パネル３−５に接合されるが、この接合は、後者のＰＣ梁１３の前記仕口パネル３−５への接合と組み合わされて次のようにして行われる。すなわち、図６（ｅ）のVIIIａ部を拡大して図８（ａ）に示すように、前記仕口パネル３−５の右側方には、前記ＰＣ梁１３が配置される。そして、この位置から当該ＰＣ梁１３が左方へ水平移動される際に、その左端部から突出している梁主筋１ａが、前記仕口パネル３−５の梁主筋孔３ｂの右端から挿入される。その結果、図８（ｂ）に示すように梁主筋１ａの先端は、前記梁主筋孔３ｂの左端から突出して前記ＰＣ梁１１の梁主筋連結用継手１２の内部に達する。そして、仕口パネル３−５の外表面と梁主筋孔３ｂとを連通するグラウト注入孔（不図示）からグラウトが注入されることで、前記梁主筋１ａが梁主筋孔３ｂ及び前記梁主筋連結用継手１２に定着され、これによって、ＰＣ梁１１の右端部は仕口パネル３−５に接合されると同時に、ＰＣ梁１３の左端部も前記仕口パネル３−５に接合される。
【００４２】
最後に、図６（ｆ）〜図６（ｈ）に示すように、未設置であった右前のＰＣ柱４−６上に仕口パネル３−６を設置するが、この時には、図６（ｆ）に示すように前記ＰＣ梁１３の右端部からは梁主筋１ａが突出していないので、前記仕口パネル３−６は、物理的に干渉することなく前方へ水平移動させることができて、もって、仕口パネル３−６の梁主筋孔３ｂの後端からＰＣ梁１−５の梁主筋１ａが挿入されてＰＣ梁１−５に仕口パネル３−６が接合される。
【００４３】
そして、残るＰＣ梁１３の右端部と仕口パネル３−６との接合は、前述した前記ＰＣ梁１１の左端部の接合と同じようにしてなされる。すなわち、図６（ｇ）のIXａ部を拡大して図９（ａ）に示すように、仕口パネル３−６の梁主筋孔３ｂの右端から中継筋５ａが挿入される。そして、図９（ｂ）に示すように、この梁主筋孔３ｂの左端から突出する中継筋５ａは前記ＰＣ梁１３の前記継手１２の内部に達するとともに、この時には、中継筋５ａの右端の定着具５ｂは、仕口パネル３−６内に位置している。そして、仕口パネル３−６の外表面と梁主筋孔３ｂとを連通するグラウト注入孔（不図示）からグラウトが注入されることで、前記中継筋５ａは梁主筋孔３ｂおよび前記梁主筋連結用継手１２に定着され、これによって、ＰＣ梁１３の右端部は、右側の仕口パネル３−５に接合される。
【００４４】
そして、この接合によって当該柱梁架構は完成し、もって、本第１実施形態に係る柱梁接合構造を適用すれば、現場でのコンクリート打設を全く行わずに柱梁架構を完成させることが可能となる。
【００４５】
ちなみに、この第１実施形態においては、請求項３に係るＰＣ柱梁の接合構造は、図７に示した仕口パネル３−４とＰＣ梁１１との接合に適用されている。つまり、前記仕口パネル３−４およびＰＣ梁１１が、それぞれに、請求項３記載の第１ＰＣ部材および第２ＰＣ部材に相当している。
【００４６】
また、請求項１に係るＰＣ柱梁の接合構造は、図８に示した仕口パネル３−５と、ＰＣ梁１１およびＰＣ梁１３との接合に適用されている。つまり、前記仕口パネル３−５、ＰＣ梁１３、およびＰＣ梁１１が、それぞれに、請求項１記載の第１ＰＣ部材、第２ＰＣ部材、および第３ＰＣ部材に相当している。
【００４７】
図１１は、本発明の第２実施形態に係る柱梁接合構造の施工手順を説明するための柱梁架構の上面視概略図である。また、図１２は、図１１中のXIIａ部およびXIIｂ部を一部上面視で示す水平断面図である。
【００４８】
なお、第１実施形態との相違点は、図８を用いて説明した、仕口パネル３−５を介してＰＣ梁１３とＰＣ梁１１とを接合する接合構造に在って、その他の接合構造は、第１実施形態と同じである。従って、図１１は、前述の図６（ｄ）の構築途中の状態から示しており、この状態までは前述と同手順で構築され、その後は次のようにして構築される。
【００４９】
先ず、第２実施形態に係る柱梁接合構造においては、前述のＰＣ梁１３の代わりに、両端部に梁主筋連結用継手１２が埋入されたＰＣ梁１１（図１０（ａ）を参照）が予め用意されている。そして、当該柱梁接合構造は、既に仕口パネル３−５の左脇に配置されたＰＣ梁１１の右端部と、前記ＰＣ梁１３の代わりに右脇に配置されたＰＣ梁１１の左端部との両者を、それぞれ前記仕口パネル３−５に接合する。
【００５０】
すなわち、図１１（ａ）の状態においては、仕口パネル３−５の左脇には既にＰＣ梁１１が配置されているが、その右端部は未だ仕口パネル３−５に接合されていない。そして、図１１（ｂ）のXIIａ部を拡大して図１２（ａ）に示すように、仕口パネル３−５の梁主筋孔３ｂの右端から中継筋５ｃが挿入され、これによって、図１２（ｂ）に示すように、この梁主筋孔３ｂの左端から突出する前記中継筋５ｃの左端が前記ＰＣ梁１１の前記梁主筋連結用継手１２の内部に達するとともに、前記中継筋５ｃの右端は、前記梁主筋孔３ｂの右端から突出した状態になる。次に、図１２（ａ）に示すように、仕口パネル３−５の右側方に、もう一つのＰＣ梁１１が配置され、この位置から前記ＰＣ梁１１が左方へ水平移動される際に、その左端部の前記梁主筋連結用継手１２に前記中継筋５ｃの右端が挿入されてその内部に達する。そうしたら、仕口パネル３−５の外表面と梁主筋孔３ｂとを連通するグラウト注入孔（不図示）からグラウトが注入されることで、前記中継筋５ｃが梁主筋孔３ｂ及び前記梁主筋連結用継手１２に定着され、これによって、仕口パネル３−５の左脇に位置するＰＣ梁１１の右端部は、仕口パネル３−５に接合されると同時に、右脇に位置するＰＣ梁１１の左端部も前記仕口パネル３−５に接合される。
【００５１】
なお、この第２実施形態では、請求項２に係るＰＣ柱梁の接合構造が適用されており、すなわち、前記仕口パネル３−５、および二つのＰＣ梁１１、１１が、それぞれに、請求項１記載の第１ＰＣ部材、第２ＰＣ部材、および第３ＰＣ部材に相当している。
【００５２】
図１３は、本発明の第３実施形態に係る柱梁接合構造の水平断面図である。同図の上段に示すように、第１実施形態に係る仕口パネル３は、その平面寸法がＰＣ柱４の平面寸法とほぼ同じであったが、同図の中段および下段に示すように、第３実施形態に係る仕口パネル３’、３’’は、その側端面が、前記ＰＣ梁４の方へ延出している点で相違する。
【００５３】
すなわち、前記仕口パネル３’、３’’の四つの側端面のうち、梁主筋孔３ｂが設けられる側端面の一方又は両方には、ＰＣ梁１１とほぼ同じ鉛直断面形状の梁状部３ｆが一体に延出形成されている。そして、この梁状部３ｆに、前記ＰＣ梁１１の端部が突き合わされて接合される。
【００５４】
なお、このように梁状部３ｆを予め一体に設けている理由は、仕口パネル３’、３’’とＰＣ梁１１との接合部ｊをＰＣ柱４から遠ざけるためである。すなわち、一般に、柱に接合された梁においては、前記柱に近い部分ほど大きな曲げ応力が作用する一方、前記接合部ｊは通常、他の部分に比べて強度的に弱い。よって、前記接合部ｊを柱の近傍から遠ざけておけば、柱梁接合構造の強度を実質的に高めることができるためである。ちなみに、遠ざける目安としては、塑性ヒンジが形成される領域に前記接合部ｊを入らないようにする等が挙げられる。
【００５５】
以上、本発明の実施形態について説明したが、本発明は、かかる実施形態に限定されるものではなく、その要旨を逸脱しない範囲で以下に示すような変形が可能である。
【００５６】
（ａ）前記実施形態では、仕口パネル３のコンクリートに、単なる貫通孔を形成して梁主筋孔３ｂとしたが、図１４の仕口パネル３の水平断面図に示すように、仕口パネル３のコンクリートに、外周に凹凸部を有する鞘管３ｅを埋設して、これを梁主筋孔３ｂとしても良い。
【００５７】
（ｂ）前記実施形態では、梁主筋連結用継手として鞘管１２を用いたが、前記継手は何等これに限るものではなく、例えば重ね継手であっても良い。
【００５８】
（ｃ）前記実施形態では、第１ＰＣ部材として、仕口パネル３のみからなるＰＣ部材を説明したが、梁主筋孔３ｂが設けられた仕口パネル３を備えていれば何等これに限るものではない。例えば、図１５の上面図（一部水平断面視）に示すように、仕口パネル３の四つの側端面のうちの、梁主筋孔３ｂが設けられない二つの側端面の一方からＰＣ梁１又はＰＣ梁１１が一体に延出形成されていてもよく、更には、前記二つの側端面の両方からＰＣ梁１又はＰＣ梁１１が一体に延出形成されていてもよい。
【００５９】
（ｄ）前記第１実施形態では、請求項１に記載の第２ＰＣ部材として、ＰＣ梁１３のみからなるＰＣ部材を説明したが、ＰＣ梁の端部から梁主筋１ａが突出していれば何等これに限るものではない。例えば、図１６の上面図（一部水平断面視）に示すように、梁主筋１ａが突出しているＰＣ梁１３の端部の逆側の端部に、仕口パネル３を一体に設けても良い。
【００６０】
（ｅ）前記実施形態では、請求項１に記載の第３ＰＣ部材、請求項２に記載の第２及び第３ＰＣ部材、請求項３に記載の第２ＰＣ部材として、ＰＣ梁１１のみからなるＰＣ部材を説明したが、ＰＣ梁の端部に梁連結用継手１２が埋入されていれば何等これに限るものではない。例えば、図１７の上面図（一部水平断面視）に示すように、梁連結用継手１２が埋入されているＰＣ梁１１の端部の逆側の端部に、仕口パネル３を一体に設けても良い。
【００６１】
（ｆ）前記実施形態に係る柱梁接合構造を構成するＰＣ柱４として、その下端部に柱主筋連結用継手４ｃが埋入されたＰＣ柱３を例示し、この継手に中継筋を定着させる構成について説明したが、何等これに限るものではない。例えば、前記継手４ｃを設けずに、ＰＣ柱４の下端部からその柱主筋４ｄを突出させて、前記中継筋４ａの代わりとしても良い。
【００６２】
（ｇ）前記実施形態では、柱梁架構に含まれる全ての柱梁仕口部が、本発明に係る柱梁接合構造と、前記特許出願済みの発明に係る柱梁接合構造１０とによって接合されているものとしたが、一部の柱梁仕口部は、例えば図１８に示す従来構造のように現場打設コンクリートにより接合されていてもよい。要するに、柱梁架構の少なくとも一部の柱梁仕口部が本発明に係る柱梁接合構造により構成されていれば本発明の技術的範囲に含まれる。
【図面の簡単な説明】
【００６３】
【図１】特許出願済みの発明に係る柱梁接合構造１０を示す斜視図である。
【図２】同じく鉛直断面図である。
【図３】仕口パネル３の梁主筋孔３ｂに梁主筋１ａが定着される様子を説明するための仕口パネル３の鉛直断面図である。
【図４】仕口パネル３の柱主筋孔３ａ及びＰＣ柱４の柱主筋連結用継手４ｃに、中継筋４ａが定着される様子の説明図である。
【図５】特許出願済みの発明に係る柱梁接合構造の問題点を説明するための柱梁架構の上面視概略図である。
【図６】本発明の第１実施形態に係る柱梁接合構造の施工手順を説明するための柱梁架構の上面視概略図である。
【図７】図６中のVIIａ部およびVIIｂ部を一部上面視で示す仕口パネル３等の水平断面図である。
【図８】図６中のVIIIａ部およびVIIIｂ部を一部上面視で示す仕口パネル３等の水平断面図である。
【図９】図６中のIXａ部及びIXｂ部を一部上面視で示す仕口パネル３等の水平断面図である。
【図１０】第１実施形態に係る柱梁接合構造に使用されるＰＣ梁１１、１３の水平断面図である。
【図１１】第２実施形態に係る柱梁接合構造の施工手順を説明するための柱梁架構の上面視概略図である。
【図１２】図１１中のXIIａ部およびXIIｂ部を一部上面視で示す水平断面図である。
【図１３】第３実施形態に係る柱梁接合構造の水平断面図である。
【図１４】梁主筋孔３ｂを形成すべく鞘管３ｅが埋入された仕口パネル３の水平断面図である。
【図１５】本実施形態に係るＰＣ部材の変形例の上面図である。
【図１６】本実施形態に係るＰＣ部材の変形例の上面図である。
【図１７】本実施形態に係るＰＣ部材の変形例の上面図である。
【図１８】従来のＰＣ柱梁接合構造を示す斜視図である。
【図１９】特許文献１に開示された柱梁接合部のＰＣ部材を示す斜視図である。
【符号の説明】
【００６４】
１ａ  梁主筋
３  仕口パネル
４  ＰＣ柱
３ａ  柱主筋孔
３ｂ  梁主筋孔
１１，１３  ＰＣ梁
１２  梁主筋連結用継手、鞘管
【図１】
2006022494.tif 000003
【図２】
2006022494.tif 000004
【図３】
2006022494.tif 000005
【図４】
2006022494.tif 000006
【図５】
2006022494.tif 000007
【図６】
2006022494.tif 000008
【図７】
2006022494.tif 000009
【図８】
2006022494.tif 000010
【図９】
2006022494.tif 000011
【図１０】
2006022494.tif 000012
【図１１】
2006022494.tif 000013
【図１２】
2006022494.tif 000014
【図１３】
2006022494.tif 000015
【図１４】
2006022494.tif 000016
【図１５】
2006022494.tif 000017
【図１６】
2006022494.tif 000018
【図１７】
2006022494.tif 000019
【図１８】
2006022494.tif 000020
【図１９】
2006022494.tif 000021